(57)【要約】  遠隔監視を可能にする電子ロックセットは、施錠機構体、動作センサ、カメラ、及びワイヤレス通信モジュールを有する。施錠機構体は、施錠位置と解錠位置との間で動くことができる。動作センサは、電子ロックセットに近接して位置する人を検出するよう構成されている。カメラは、動作センサによって検出された人のメディアコンテンツを捕捉するよう構成されている。ワイヤレス通信モジュールは、捕捉したメディアコンテンツを電子デバイスにワイヤレス送信するよう構成されている。【選択図】図５
2016517488.tif 000002
【特許請求の範囲】
【請求項１】
電子ロックセットであって、
施錠位置と解錠位置との間で動くことができる施錠機構体と、
前記電子ロックセットに近接して位置する人を検出するよう構成された動作センサと、
コンテンツを捕捉するよう構成されたカメラと、
前記捕捉されたメディアコンテンツを電子デバイスにワイヤレス送信するよう構成されたワイヤレス通信ユニットと、
前記動作センサ、前記カメラ、及び前記ワイヤレス通信ユニットと電子通信関係にある制御器とを有し、
前記制御器は、認証された資格証明情報の受け取りに応答して前記施錠位置から前記解錠位置への前記施錠機構体の作動を制御するよう構成され、
前記制御器は、前記動作センサが前記電子ロックセットに近接して位置する人を検出したことに応答して前記カメラを作動させるよう構成され、
前記制御器は、前記カメラによって捕捉された前記メディアコンテンツを含むメッセージを前記ワイヤレス通信ユニットにより所定のネットワークアドレスに自動送信するよう構成されている、電子ロックセット。
【請求項２】
前記電子ロックセットの少なくとも一部分を包囲したローゼットを更に有し、前記カメラは、前記ローゼットと一体である、請求項１記載の電子ロックセット。
【請求項３】
前記ローゼットは、開口部を定め、前記カメラは、前記開口部を通してコンテンツを捕捉する、請求項２記載の電子ロックセット。
【請求項４】
前記ローゼットは、ベゼル部分を有し、前記開口部は、前記ベゼル部分を貫通して定められる、請求項３記載の電子ロックセット。
【請求項５】
前記ベゼル部分は、前記ローゼットの長手方向軸線に対して傾けられている、請求項４記載の電子ロックセット。
【請求項６】
前記制御器は、前記ワイヤレス通信ユニットによって受け取られたメッセージに応答して前記カメラを作動させるよう構成されている、請求項１記載の電子ロックセット。
【請求項７】
前記コンテンツは、画像又はストリーミングビデオのうちの１つ又は２つ以上を含む、請求項１記載の電子ロックセット。
【請求項８】
デッドボルトであって、
伸長位置と引っ込み位置との間で動くことができるボルトと、
前記デッドボルトに近接して位置する人を検出するよう構成された動作センサと、
コンテンツを捕捉するよう構成されたカメラと、
前記捕捉されたメディアコンテンツを電子デバイスにワイヤレス送信するよう構成されたワイヤレス通信ユニットと、
前記動作センサ、前記カメラ、及び前記ワイヤレス通信ユニットと電子通信状態にある制御器とを有し、
前記制御器は、認証された資格証明情報の受け取りに応答して前記施錠位置から前記解錠位置への前記施錠機構体の作動を制御するよう構成され、
前記制御器は、前記動作センサが前記電子ロックセットに近接して位置する人を検出したことに応答して前記カメラを作動させるよう構成され、
前記制御器は、前記カメラによって捕捉された前記メディアコンテンツを含むメッセージを前記ワイヤレス通信ユニットにより所定のネットワークアドレスに自動送信するよう構成されている、デッドボルト。
【請求項９】
前記電子ロックセットの少なくとも一部分を包囲したローゼットを更に有し、前記カメラは、前記ローゼットと一体である、請求項８記載のデッドボルト。
【請求項１０】
前記ローゼットは、開口部を定め、前記カメラは、前記開口部を通してコンテンツを捕捉する、請求項９記載のデッドボルト。
【請求項１１】
前記ローゼットは、ベゼル部分を有し、前記開口部は、前記ベゼル部分を貫通して定められる、請求項１０記載のデッドボルト。
【請求項１２】
前記ベゼル部分は、前記ローゼットの長手方向軸線に対して傾けられている、請求項１１記載のデッドボルト。
【請求項１３】
前記制御器は、前記ワイヤレス通信ユニットによって受け取られたメッセージに応答して前記カメラを作動させるよう構成されている、請求項１２記載のデッドボルト。
【請求項１４】
前記カメラは、前記動作センサによる前記人の前記検出とは独立して作動するように構成されている、請求項８記載のデッドボルト。
【請求項１５】
前記メディアコンテンツは、画像又はストリーミングビデオのうちの１つ又は２つ以上を含む、請求項８記載のデッドボルト。
【請求項１６】
電子ロックセットに近接して位置する人を監視する方法であって、前記方法は、
前記電子ロックセットに近接して位置する人を検出するステップと、
前記検出ステップに応答して前記検出された人のコンテンツを捕捉するステップと、
前記捕捉したコンテンツを電子デバイスにワイヤレス送信するステップとを含む、方法。
【請求項１７】
前記検出ステップは、前記電子ロックセットに接触することなく起こる、請求項１６記載の方法。
【請求項１８】
前記捕捉ステップは、前記電子ロックのローゼットと一体のカメラによって実施される、請求項１６記載の方法。
【請求項１９】
前記コンテンツは、画像又はストリーミングビデオのうちの１つ又は２つ以上を含む、請求項１６記載の方法。
【発明の詳細な説明】
【技術分野】
【０００１】
本開示内容、即ち本発明は、一般に、電子機械式ロック（錠）に関し、特に、本発明は、遠隔監視を可能にする一体形カメラ付きの電子ロックに関する。
【０００２】
〔関連出願の説明〕
本願は、２０１３年３月１３日に出願された米国特許仮出願第６１／７７９，１４５号（発明の名称：Electronic Lock with Remote Monitoring）の権益主張出願であり、この米国特許仮出願を参照により引用し、その記載内容全体を本明細書の一部とする。
【背景技術】
【０００３】
電子ロックは、住宅市場及び商業市場においてますます受け入れられると共にますます普及している。これらロックセットは、或る特定の電子資格証明情報を必要とすることによってドアからの建物内への侵入を制御する。例えば、これらロックセットは、典型的には、機械式キーを必要としないで、例えばキーパッド等を用いてユーザにより提供される資格証明情報に基づいてロックセットを解錠するかどうかを決定する制御回路を有する。
【０００４】
幾つかの場合、電子ロックは、他のデバイス又は機器、例えばセキュリティシステムの一部とワイヤレス通信するよう構成されている場合がある。例えば、ワイヤレスデバイス、例えば携帯電話を用いて電子ロックを遠隔制御（即ち、施錠／解錠）することが知られている。
【発明の概要】
【発明が解決しようとする課題】
【０００５】
しかしながら、他の電子デバイスと通信する電子ロックの機能又は能力は、一般に、状況情報及びロックの制御に制限される。したがって、施錠状態／制御情報には限定されない遠隔監視を可能にする新規な電子ロックが要望されている。
【課題を解決するための手段】
【０００６】
本発明は、遠隔監視を可能にする一体形カメラ付きの電子ロックに関する。電子ロックにより、ユーザは、メディアコンテンツ（例えば、ディジタル「静止画像」又は「ストリーミングビデオ（映像）」）を提供することができる任意のメディア、例えばスマートフォン、ディジタルＴＶ、タブレット、ＰＣ、ラップトップ又は任意の均等なメディアを介してドアのところに居る人を遠方から見ることができる。これは、在宅時に利便性をもたらし、家から離れているときには（オフィスに居るとき又は移動中）安心感をもたらす。
【０００７】
客又は誰かがドアをノックすると、家主（在宅している場合）は、例えば自分のモバイルデバイスを見て（又は自分のディジタルＴＶ、タブレット、ＰＣ又はラップトップ上で利用できるａｐｐ（アプリ）を用いて）、誰かがノックしているのを見ることができる。家主がたまたま外出している場合又は不在である場合、家主は、遠隔監視特徴をターンオンするのが良い。一実施形態では、この特徴により、人がＳＮＳ又はＥメールにより「静止画像」を受け取り又は指定されたウェブロケーションを介してストリーミングビデオを入手することができる。幾つかの実施形態では、電子ロックは、ホームワイヤレスネットワークを介して画像又は映像を共有するよう他のデバイスに接続される。ワイヤレスゲートウェイを介する接続は、例えばインターネットを用いて遠方からの共有を可能にする。
【０００８】
一観点によれば、本発明は、遠隔監視を可能にする電子ロックセットを提供する。一実施形態では、電子ロックセットは、施錠機構体、動作センサ、カメラ、及びワイヤレス通信モジュールを有する。施錠機構体は、施錠位置と解錠位置との間で動くことができる。動作センサは、電子ロックセットに近接して位置する人を検出するよう構成されている。カメラは、動作センサに結合され、このカメラは、動作センサによって検出された人のメディアコンテンツを捕捉するよう構成されている。ワイヤレス通信モジュールは、捕捉されたメディアコンテンツを電子デバイスにワイヤレス送信するよう構成されている。
【０００９】
幾つかの場合において、ワイヤレス通信モジュールは、メディアコンテンツをローカルネットワーク経由で送信するよう構成されているのが良い。幾つかの実施形態では、ワイヤレス通信モジュールは、メディアコンテンツを公衆ネットワーク、例えばインターネットを介して送信するよう構成されている。例えば、ワイヤレス通信ユニットは、メディアコンテンツをユーザによるアクセスのため指定されたウェブサイトに送信するよう構成されているのが良い。幾つかの場合、カメラは、遠方から作動可能である。例えば、カメラは、動作センサによる検出とは独立して作動可能である。
【００１０】
別の観点によれば、本発明は、遠隔監視のためのデッドボルトを提供する。デッドボルトは、伸長位置と引っ込み位置との間で動くことができるボルト及びデッドボルトに近接して位置する人を検出するよう構成された動作センサを有する。カメラが動作センサに結合されるのが良く、カメラは、動作センサにより検出された人のメディアコンテンツを捕捉するよう構成されている。ワイヤレス通信ユニットが捕捉されたメディアコンテンツを電子デバイスにワイヤレス送信するよう構成されているのが良い。
【００１１】
本発明の追加の特徴及び追加の利点は、現時点において考えられる本発明を実施する最良実施態様を例示する図示の実施形態の以下の詳細な説明を考慮すると当業者には明らかになろう。かかる追加の特徴及び利点は、本発明に含まれると共に本発明の範囲に含まれる。
【００１２】
以下、非限定的な実施例として与えられているに過ぎない添付の図面を参照して本発明について説明する。
【図面の簡単な説明】
【００１３】
【図１】本発明の一実施形態としての一体形カメラ付きの例示の電子ロックの斜視図である。
【図２】図１に示された電子ロックの斜視図であり、一部分が内部コンポーネントを示すために取り外された状態を示す図である。
【図３】図２に示された電子ロックの分解組立て図である。
【図４】図１に示された電子ロックによってセキュリティが確保された部屋の略図である。
【図５】電子ロックと共に用いることができると考えられるコンポーネントを示すブロック図である。
【発明を実施するための形態】
【００１４】
対応関係にある参照符号は、幾つかの図全体を通じて、対応の部分を示している。図に示されているコンポーネントは、必ずしも縮尺通りにはなっておらず、これとは異なり、本発明の原理を説明する際に強調が施されている。本明細書に記載された例示は、本発明の実施形態を示しており、かかる例示は、本発明の範囲をなんら限定するものと解されてはならない。
【００１５】
本発明の技術的思想は、種々の改造例及び変形形態で具体化できるが、その特定の例示の実施形態が図面に例示として示されており、本明細書において、かかる実施形態について詳細に説明する。しかしながら、理解されるべきこととして、本発明の技術的思想は、開示した特定の形態には限定されず、これとは異なり、本発明は、本発明の精神及び範囲に含まれる全ての改造例、均等例、及び変形例を含むものである。
【００１６】
本発明は、一般に、遠方からアクセス可能な一体形カメラ付きの電子ロックに関する。「電子ロック」という用語は、広義には、電力を何らかの仕方で用いる任意形式のロックセットを含むものであり、かかるロックセットとしては、電子デッドボルトや、電子レバーセットが挙げられるが、これらには限定されない。本発明は、任意形式の電子ロック中へのディジタルカメラの一体化を想定しており、本発明は、何らかの特定形式の電子ロックに限定されるものではない。
【００１７】
図１〜図３を参照すると、本発明は、一体形カメラ１０２付きの電子ロック１００を提供しており、一体形カメラ１０２は、ディジタル写真及び／又は映像を撮影するよう構成されたディジタルカメラである。好ましくは、電子ロックは、例えばワイヤレス通信ユニットを介してワイヤレス通信機能又は能力を備えた状態で構成されている。電子ロック１００は、カメラ１０２の作動を制御する制御器又はコントローラ（図示せず）、動作センサ、ワイヤレス通信ユニット及び電子ロックの他の電子装置を有する。例えば、電子ロックは、カメラによって撮影された写真及び／又はストリーム映像を遠隔の電子デバイスに送るよう構成されており、例えば、写真をテキストメッセージ、Ｅメールメッセージによりユーザの携帯電話に送り又はユーザによりアクセス可能な指定されたウェブサイトを介してビデオストリームにアクセス可能にする。電子ロック１００は、任意のワイヤレスプロトコルを用いることができ、かかるワイヤレスプロトコルとしては、例えばＷｉ‐Ｆｉ（登録商標）を用いたＩＥＥＥ８０２．１１に準拠したプロトコル、Ｚｉｇｂｅｅ（登録商標）を用いたＩＥＥＥ８０２．１５．４規格に準拠したプロトコル、セルラーネットワーク、ワイヤレスローカルエリアネットワーク又は他のネットワークプロトコルが挙げられるが、これらには限定されない。
【００１８】
図示の実施例では、カメラ１０２は、オプションとしての動作センサ１０３と関連している。例えば、動作センサ１０３は、誰かが電子ロック１００に近づいているときに写真又はビデオを撮影するようカメラ１０２を起動することができる。一例として、電子ロック１００は、電子ロック１００に接近したばかりの誰かの写真付きでテキストメッセージを送るよう構成されているのが良い。変形例として、カメラは、ユーザによって遠方から選択的に作動可能であっても良い。例えば、ユーザは、指定されたウェブサイトを介して構成可能オプションにアクセスしてこれらを設定することができ又はモバイルデバイス上で専用ａｐｐ（アプリ）を用いることができる。ユーザが旅行のための数日間町を離れている例を考えてみる。ユーザが電子ロック１００を遠隔監視したいと思った場合、ユーザは、指定されたウェブサイトにログインして（又はａｐｐ（アプリ）を用いて）遠隔監視モードを起動する。このモードでは、電子ロックは、動作センサ１０３が起動されているかどうかとは無関係に映像を連続的に流すよう構成されているのが良い。これは、電子ロックの周りの領域を遠方から見て安心感をユーザに与える。
【００１９】
図示のように、電子ロック１００は、フェース部分１１０及びベゼル縁部１１２を備えた長方形の形をしている外部カバー又はローゼット１０８を有する。このローゼット１０８は、例示目的で示されているに過ぎず、ローゼット１０８は、任意形状又は構造のものであって良く、本発明は、図示の特定の形状には限定されない。図示の実施例では、カメラ１０２は、ベゼル縁部１１２に組み込まれており、ベゼル縁部１１２は、電子ロック１００の近くに位置する人の顔面を観察するようカメラを上方に傾けている。カメラは、図示の実施例では固定された位置を有するが、カメラ１０２は、観察角度を変えるよう手動で又は電子的に動くことができても良い。
【００２０】
図示の実施例では、電子ロックは、電子ロック１００を施錠／解錠するためにパスコードを入力するキーパッド１０４を有するが、これは、例示目的で示されているに過ぎない。本発明は、電子ロック１００を施錠／解錠する特定の機構体に依存することはなく、本発明は、キーパッドによるにせよ、タッチスクリーンによるにせよ、生体計測センサによるにせよ、ワイヤレス通信によるにせよ、又は電子ロック１００を制御する他の何らかの仕方によるにせよ、いずれにせよ、電子ロック１００を制御することができる手段としての全てのやり方を含む。図示のように、電子ロック１００は、代表的な機械的キーを用いて施錠／解錠することができる機械式施錠組立体１０６を有する。キーパッド１０４の場合と同様、これは、例示目的であるに過ぎない。
【００２１】
図４は、電子ロック１００の例示の使用法を概略的に示している。この実施例では、電子ロック１００は、ドア１０に取り付けられており、ドア１０は、建物の出入口のドア又は室内のドアのいずれであっても良い。人１２が電子ロック１００に接近すると、動作センサ１０３は、カメラ１０２（まだ起動されていない場合）を起動して人１２の写真を撮影する。電子ロック１００は、ワイヤレス通信ネットワーク１１４を介してメッセージ、例えば「誰かがドア１０のところに居る」というテキストメッセージを、このメッセージにその人１２の写真を添付して、ユーザ１４に送る。ユーザ１４は、遠隔電子デバイス１６、例えば携帯電話上で写真を観察することができる。
【００２２】
図５は、カメラ１０２からの写真及び／又は映像を含む電子ロック１００と種々の電子デバイスとの通信状態を示すブロック図であり、電子デバイスとしては、スマートフォン、ディジタルＴＶ、タブレット、ＰＣ、ラップトップ又は任意のプラットホーム、例えばワシントン州レッドモンド所在のマイクロソフト・コーポレーション（Microsoft Corporation ）によるＷｉｎｄｏｗｓ（商標）、カリフォルニア州クパティーノ所在のアップル・コーポレーション（Apple Corporation ）によるｉＯＳ（商標）、カリフォルニア州マウンテンビュー所在のグーグル・コーポレーション（Google Corporation）によるＡｎｄｒｏｉｄ（商標）、又は任意の将来開発されるシステム又はプラットホームを用いた任意の電子デバイスが挙げられるが、これらには限定されない。この実施例では、電子ロック１００は、ローカルデバイス（屋内に存在するものとして示されている）又は地理的に遠隔に位置するデバイス（屋外に存在するものとして示される）と通信可能である。ローカルデバイス１１５に関し、これらデバイスは、ワイヤレスゲートウェイ１１６を用いたローカルネットワーク上で電子ロック１００に接続されるのが良い。電子ロック１００が家の玄関のドア（表ドア又は表出入口）に取り付けられ、ユーザが裏庭に居る例を考えてみる。誰かが玄関のドアに接近すると、動作センサ１０３は、カメラを起動し、このカメラは、玄関のドアのところにいる人の写真を撮影する。電子ロック１００は、ローカルネットワーク上で写真付きのメッセージをユーザの携帯電話に送り、それにより、ユーザに、写真で誰かがドアのところに居ることを通知する。
【００２３】
ユーザが電子ロック１００から地理的に遠隔に位置している場合であっても、メッセージをインターネットを用いて世界中のどこでも遠隔デバイス１１８に送信することができる。電子ロック１００からのメッセージは、任意の通信技術を用いてユーザに配布することができ、かかる通信技術としては、テキストメッセージ、Ｅメールメッセージ及び／又はユーザによってアクセス可能な指定されたウェブサイトへのポスティングが挙げられるが、これらには限定されない。電子ロック１００がユーザの家の玄関のドアに取り付けられ、ユーザが家から地理的に遠くに位置する場所に居る例を考えてみる。電子ロック１００は、誰かが玄関のドアのところに居た時点を示すショートビデオクリップと共にメッセージをユーザに送るよう構成されているのが良い。
【００２４】
本発明を特定の手段、材料、及び実施形態を参照して説明したが、上記説明から当業者であれば、本発明の本質的な特徴並びに種々の変更及び改造を実施して本発明の精神及び範囲から逸脱することなく、種々の使用及び特性を適合させることができるということを容易に確かめることができる。
【図１】
2016517488.tif 000003
【図２】
2016517488.tif 000004
【図３】
2016517488.tif 000005
【図４】
2016517488.tif 000006
【図５】
2016517488.tif 000007
【国際調査報告】
2016517488.tif 000008
2016517488.tif 000009
2016517488.tif 000010